(57)【要約】【課題】高速且つ安定的な観察を実現することができるライトシート顕微鏡及び試料観察方法を提供する。【解決手段】ライトシート顕微鏡１は、照射光学系１０と、検出光学系２０と、光検出器３０と、を備える。照射光学系１０は、時間と共に波長が変化する光を励起光Ｌ１として出力する波長掃引光源１１と、波長掃引光源１１から出力された励起光Ｌ１が入射し、励起光Ｌ１の波長に応じた出射角θで励起光Ｌ１を出射する分光素子１２と、分光素子１２から出射された励起光Ｌ１が出射角θに応じた入射角で入射するシリンドリカルレンズ１６を含むリレー光学系１４と、リレー光学系１４によって導光された励起光Ｌ１を集光し、シート状の励起光Ｌ１を試料Ｓに照射する第１対物レンズ１５と、を有する。【選択図】図１
2019148732.tif 000002
【特許請求の範囲】
【請求項１】
試料を励起させる波長を含む励起光を前記試料に照射する照射光学系と、
前記励起光の照射に伴って前記試料から発せられる検出光を導光する検出光学系と、
前記検出光学系によって導光された前記検出光を検出する光検出器と、を備え、
前記照射光学系は、
時間と共に波長が変化する光を前記励起光として出力する波長掃引光源と、
前記波長掃引光源から出力された前記励起光が入射し、前記励起光の波長に応じた出射角で前記励起光を出射する分光素子と、
前記分光素子から出射された前記励起光が前記出射角に応じた入射角で入射するシリンドリカルレンズを含むリレー光学系と、
前記リレー光学系によって導光された前記励起光を集光し、シート状の前記励起光を前記試料に照射する第１対物レンズと、を有する、ライトシート顕微鏡。
【請求項２】
前記分光素子は、回折格子である、請求項１に記載のライトシート顕微鏡。
【請求項３】
前記分光素子は、プリズムである、請求項１に記載のライトシート顕微鏡。
【請求項４】
前記検出光学系は、前記検出光が入射する第２対物レンズと、前記波長掃引光源から出力される前記励起光の波長の変化と同期して、前記第２対物レンズの焦点位置を変化させる焦点位置調節器と、を有する、請求項１〜３のいずれか一項に記載のライトシート顕微鏡。
【請求項５】
前記焦点位置調節器は、液体レンズである、請求項４に記載のライトシート顕微鏡。
【請求項６】
前記波長掃引光源は、複数の中心波長の間で前記励起光の中心波長を切り替え可能に構成されており、
前記分光素子は、前記波長掃引光源から出力される前記励起光の中心波長に応じて回転させられる、請求項１〜５のいずれか一項に記載のライトシート顕微鏡。
【請求項７】
前記照射光学系は、前記波長掃引光源を複数有し、
前記複数の波長掃引光源は、互いに中心波長が異なる光を前記励起光として出力し、
前記複数の波長掃引光源から出力される前記励起光は、その中心波長に応じた入射角で前記分光素子に入射する、請求項１〜５のいずれか一項に記載のライトシート顕微鏡。
【請求項８】
前記分光素子と前記シリンドリカルレンズとの間の位置関係を維持しつつ、前記波長掃引光源、前記分光素子及び前記シリンドリカルレンズを前記シリンドリカルレンズの光軸に沿って移動させる移動機構を更に備える、請求項１〜７のいずれか一項に記載のライトシート顕微鏡。
【請求項９】
前記第１対物レンズから出射された前記励起光を前記試料に向けて反射する反射部を更に備える、請求項１〜８のいずれか一項に記載のライトシート顕微鏡。
【請求項１０】
前記試料が配置される容器を更に備え、
前記容器には、前記反射部が設けられている、請求項９に記載のライトシート顕微鏡。
【請求項１１】
前記検出光学系は、前記検出光が入射する第２対物レンズを有し、
前記第２対物レンズの光軸は、前記第１対物レンズの光軸と平行である、請求項１〜１０のいずれか一項に記載のライトシート顕微鏡。
【請求項１２】
試料を励起させる波長を含む励起光を前記試料に照射するステップと、
前記励起光の照射に伴って前記試料から発せられる検出光を導光するステップと、
前記検出光を検出するステップと、を備え、
前記励起光を前記試料に照射するステップは、
時間と共に波長が変化する光が前記励起光として波長掃引光源から出力されるステップと、
前記波長掃引光源から出力された前記励起光が分光素子に入射し、前記励起光の波長に応じた出射角で前記励起光が前記分光素子から出射するステップと、
前記分光素子から出射された前記励起光が前記出射角に応じた入射角でシリンドリカルレンズに入射するステップと、
前記シリンドリカルレンズを含むリレー光学系によって導光された前記励起光が集光され、シート状の前記励起光が前記試料に照射されるステップと、を含む、試料観察方法。
【発明の詳細な説明】
【技術分野】
【０００１】
本発明は、ライトシート顕微鏡及び試料観察方法に関する。
【背景技術】
【０００２】
シート状の励起光を試料に照射し、励起光の照射に伴って試料から発せられる検出光を検出するライトシート顕微鏡が知られている（例えば特許文献１参照）。このようなライトシート顕微鏡では、試料を収容する容器がホルダによって保持されており、試料の観察の際には、ホルダを移動又は回転させることにより、試料に対する励起光の照射位置が走査される。
【先行技術文献】
【特許文献】
【０００３】
【特許文献１】特表２００６−５０９２４６号公報
【発明の概要】
【発明が解決しようとする課題】
【０００４】
しかしながら、上述したようなライトシート顕微鏡では、観察中に試料が揺れ動くおそれがあり、安定的に観察することができない場合がある。また、励起光の走査速度がホルダの移動速度で決まるため、観察を高速化することは難しい。試料をステージ上に配置し、ステージを移動又は回転させることも考えられるが、安定性及び高速化の観点においてホルダを移動又は回転させる場合と同様の課題がある。
【０００５】
本発明は、高速且つ安定的な観察を実現することができるライトシート顕微鏡及び試料観察方法を提供することを目的とする。
【課題を解決するための手段】
【０００６】
本発明のライトシート顕微鏡は、試料を励起させる波長を含む励起光を試料に照射する照射光学系と、励起光の照射に伴って試料から発せられる検出光を導光する検出光学系と、検出光学系によって導光された検出光を検出する光検出器と、を備え、照射光学系は、時間と共に波長が変化する光を励起光として出力する波長掃引光源と、波長掃引光源から出力された励起光が入射し、励起光の波長に応じた出射角で励起光を出射する分光素子と、分光素子から出射された励起光が出射角に応じた入射角で入射するシリンドリカルレンズを含むリレー光学系と、リレー光学系によって導光された励起光を集光し、シート状の励起光を試料に照射する第１対物レンズと、を有する。
【０００７】
このライトシート顕微鏡では、時間と共に波長が変化する光が励起光として波長掃引光源から出力され、波長掃引光源から出力された励起光が波長に応じた出射角で分光素子から出射され、分光素子から出射された励起光が当該出射角に応じた入射角でシリンドリカルレンズに入射する。これにより、シート状の励起光の照射位置を試料に対して走査することができる。その結果、観察の際に試料を移動又は回転させる必要がないため、試料が揺れ動くのを抑制することができ、試料を安定的に観察することができる。また、波長掃引光源、分光素子及びシリンドリカルレンズを用いて試料に対する励起光の照射位置を走査するため、試料に対する励起光の走査を高速化することができる。よって、このライトシート顕微鏡によれば、高速且つ安定的な観察を実現することができる。
【０００８】
本発明のライトシート顕微鏡では、分光素子は、回折格子であってもよいし、プリズムであってもよい。これらの構成によれば、高速且つ安定的な観察を実現することができるとの上記作用効果が顕著に奏される。
【０００９】
本発明のライトシート顕微鏡では、検出光学系は、検出光が入射する第２対物レンズと、波長掃引光源から出力される励起光の波長の変化と同期して、第２対物レンズの焦点位置を変化させる焦点位置調節器と、を有していてもよい。この構成によれば、試料に対する励起光の照射位置を高速に走査した場合でも、検出光を精度良く検出することができる。
【００１０】
本発明のライトシート顕微鏡では、焦点位置調節器は、液体レンズであってもよい。この構成によれば、試料に対する励起光の照射位置を高速に走査した場合でも、検出光を精度良く検出することができるとの上記作用効果が顕著に奏される。
【００１１】
本発明のライトシート顕微鏡では、波長掃引光源は、複数の中心波長の間で励起光の中心波長を切り替え可能に構成されており、分光素子は、波長掃引光源から出力される励起光の中心波長に応じて回転させられてもよい。この構成によれば、複数の中心波長の励起光を試料に照射することができる。
【００１２】
本発明のライトシート顕微鏡では、照射光学系は、波長掃引光源を複数有し、複数の波長掃引光源は、互いに中心波長が異なる光を励起光として出力し、複数の波長掃引光源から出力される励起光は、その中心波長に応じた入射角で分光素子に入射してもよい。この構成によれば、複数の中心波長の励起光を試料に照射することができる。
【００１３】
本発明のライトシート顕微鏡は、分光素子とシリンドリカルレンズとの間の位置関係を維持しつつ、波長掃引光源、分光素子及びシリンドリカルレンズをシリンドリカルレンズの光軸に沿って移動させる移動機構を更に備えてもよい。この構成によれば、第１対物レンズから出射される励起光のビームウェストの位置、すなわち試料に対する励起光の照射方向におけるシート状の励起光の形成位置を調整することができる。
【００１４】
本発明のライトシート顕微鏡では、第１対物レンズから出射された励起光を試料に向けて反射する反射部を更に備えてもよい。また、本発明のライトシート顕微鏡では、試料が配置される容器を更に備え、容器には、反射部が設けられていてもよい。この構成によれば、容器の壁部の影響なく、試料に対してシート状の励起光を照射することができる。
【００１５】
本発明のライトシート顕微鏡では、検出光学系は、検出光が入射する第２対物レンズを有し、第２対物レンズの光軸は、第１対物レンズの光軸と平行であってもよい。この構成によれば、倒立顕微鏡又は正立顕微鏡等の顕微鏡への組み込みを容易化することができる。
【００１６】
本発明の試料観察方法は、試料を励起させる波長を含む励起光を試料に照射するステップと、励起光の照射に伴って試料から発せられる検出光を導光するステップと、検出光を検出するステップと、を備え、励起光を試料に照射するステップは、時間と共に波長が変化する光が励起光として波長掃引光源から出力されるステップと、波長掃引光源から出力された励起光が分光素子に入射し、励起光の波長に応じた出射角で励起光が分光素子から出射するステップと、分光素子から出射された励起光が出射角に応じた入射角でシリンドリカルレンズに入射するステップと、シリンドリカルレンズを含むリレー光学系によって導光された励起光が集光され、シート状の励起光が試料に照射されるステップと、を含む。
【００１７】
この試料観察方法では、時間と共に波長が変化する光が励起光として波長掃引光源から出力され、波長掃引光源から出力された励起光が波長に応じた出射角で分光素子から出射され、分光素子から出射された励起光が当該出射角に応じた入射角でシリンドリカルレンズに入射する。これにより、シート状の励起光の照射位置を試料に対して走査することができる。その結果、観察の際に試料を移動又は回転させる必要がないため、試料が揺れ動くのを抑制することができ、試料を安定的に観察することができる。また、波長掃引光源、分光素子及びシリンドリカルレンズを用いて試料に対する励起光の照射位置を走査するため、試料に対する励起光の走査を高速化することができる。よって、このライトシート顕微鏡によれば、高速且つ安定的な観察を実現することができる。
【発明の効果】
【００１８】
本発明によれば、高速且つ安定的な観察を実現することができるライトシート顕微鏡及び試料観察方法を提供することができる。
【図面の簡単な説明】
【００１９】
【図１】実施形態に係るライトシート顕微鏡の構成を示す図である。
【図２】分光素子を説明するための図である。
【図３】Ｘ軸方向から見た場合の照射光学系を示す図である。
【図４】（ａ）及び（ｂ）は、Ｙ軸方向から見た場合の照射光学系を示す図である。
【図５】（ａ）〜（ｃ）は、ビームウェストの位置の調整について説明するための図である。
【図６】（ａ）及び（ｂ）は、試料が配置される容器周辺の構成を示す図である。
【図７】（ａ）〜（ｃ）は、変形例を示す図である。
【図８】他の変形例を示す図である。
【発明を実施するための形態】
【００２０】
以下、本発明の一実施形態について、図面を参照しつつ詳細に説明する。なお、以下の説明において、同一又は相当要素には同一符号を用い、重複する説明を省略する。
【００２１】
図１に示されるライトシート顕微鏡１は、シート状（面状）の励起光Ｌ１を試料Ｓに照射し、励起光Ｌ１の照射に伴って試料Ｓから発せられる検出光Ｌ２を検出することで、試料Ｓの画像を取得する装置である。ライトシート顕微鏡１では、励起光Ｌ１の照射位置が試料Ｓに対して走査され、各照射位置において試料Ｓの画像が取得される。ライトシート顕微鏡１では、励起光Ｌ１が試料Ｓに照射される領域が狭いため、例えば光退色又は光毒性等の試料Ｓの劣化を抑制することができると共に、画像の取得を高速化することができる。
【００２２】
試料Ｓは、例えば、蛍光色素又は蛍光遺伝子等の蛍光物質を含む細胞又は生体等のサンプルである。試料Ｓは、所定の波長域の光が照射された場合に、例えば蛍光等の検出光Ｌ２を発する。試料Ｓは、例えば、少なくとも励起光Ｌ１及び検出光Ｌ２に対する透過性を有する容器５内に配置されている。容器５の詳細については後述する。
【００２３】
図１に示されるように、ライトシート顕微鏡１は、照射光学系１０と、検出光学系２０と、光検出器３０と、制御部４０と、を備えている。照射光学系１０は、励起光Ｌ１を試料Ｓに照射する。検出光学系２０は、励起光Ｌ１の照射に伴って試料Ｓから発せられる検出光Ｌ２を光検出器３０へ導光する。光検出器３０は、検出光学系２０によって導光された検出光Ｌ２を検出する。制御部４０は、照射光学系１０、検出光学系２０及び光検出器３０等の動作を制御する。
【００２４】
照射光学系１０は、波長掃引光源１１と、分光素子１２と、リレー光学系１４と、第１対物レンズ１５と、を有している。リレー光学系１４は、シリンドリカルレンズ１６と、レンズ１７と、を含んでいる。
【００２５】
波長掃引光源１１は、試料Ｓを励起させる波長を含む励起光Ｌ１を出力する。波長掃引光源１１は、時間と共に波長が変化する光を励起光Ｌ１として出力する。より詳細には、波長掃引光源１１は、出力する励起光Ｌ１の波長を高速且つ周期的に変化させることによって所定の波長範囲において波長掃引を行なう光源である。
【００２６】
波長掃引光源１１は任意の光源であってよいが、波長掃引時に出射角度が変化しないものが好ましい。そのような波長掃引光源１１としては、例えば、キャビティ長の変化、又は温度若しくは電流値の変化によって出力光の波長が可変である半導体レーザ光源が挙げられる。波長掃引光源１１は、白色のレーザ光を出力する光源と、特定の波長域の光を選択的に透過させるＡＯＴＦ（Acousto-Optic Tunable Filter）とを組み合わせたユニットであってもよい。或いは、波長掃引光源１１は、リトロー型の外部共振器型半導体レーザ光源、垂直共振器面発光型レーザ（VCSEL : Vertical Cavity Surface Emitting Laser）光源、又はＫＴＮ結晶を用いた外部共振器型半導体レーザ光源であってもよい。
【００２７】
波長掃引光源１１は、コヒーレント光を出射してもよい。コヒーレント光を出力するレーザ光源としては、連続波（Continuous Wave)を発振する光源が用いられてもよいし、超短パルス光等のパルス光を発振する光源、又は強度変調光を出力する光源が用いられてもよい。更に、これらの光源と、光シャッタ又はパルス変調用のＡＯＭ（Acousto-Optic Modulator）とを組み合わせたユニットが用いられてもよい。
【００２８】
図１及び図２に示されるように、分光素子１２には、波長掃引光源１１から出力された励起光Ｌ１が入射する。分光素子１２は、入射した励起光Ｌ１の波長に応じた出射角θで励起光Ｌ１を出射する。本実施形態では、分光素子１２は、入射した励起光Ｌ１の波長に応じた出射角θで励起光Ｌ１を回折する反射型のブレーズド回折格子である。出射角θは、例えば、分光素子１２における格子面１２ａの法線Ｎに対する、分光素子１２から出射する励起光Ｌ１の光軸の角度である。図２では、波長λ１，λ２，λ３をそれぞれ有し、互いに異なる出射角θで分光素子１２から出射された３つの励起光Ｌ１が例示されている。
【００２９】
分光素子１２から出射された励起光Ｌ１は、出射角θに応じた入射角でシリンドリカルレンズ１６に入射する。分光素子１２は、例えば、波長掃引光源１１による波長掃引における中心波長の励起光Ｌ１が分光素子１２から出射された場合に当該励起光Ｌ１がシリンドリカルレンズ１６の光軸上を進行するように、配置されている。シリンドリカルレンズ１６は、その光軸上において、分光素子１２の格子面１２ａ（出射面）からシリンドリカルレンズ１６の焦点距離と等しい距離（光学距離）だけ離れて配置されている。シリンドリカルレンズ１６に入射した励起光Ｌ１は、レンズ１７を介して第１対物レンズ１５へ導光される。第１対物レンズ１５は、リレー光学系１４によって導光された励起光Ｌ１を集光し、シート状の励起光Ｌ１を試料Ｓに照射する。第１対物レンズ１５及びレンズ１７は、シリンドリカルレンズ１６の光軸上に配置されている。なお、分光素子１２は、必ずしも上記のように配置されていなくてもよい。
【００３０】
図３及び図４を参照しつつ、照射光学系１０によって励起光Ｌ１がシート状に成形される様子を説明する。シリンドリカルレンズ１６の表面は、その光軸Ｃと直交する一の方向（以下、Ｘ軸方向という）に沿って湾曲している一方、光軸Ｃ及びＸ軸方向と直交する方向（以下、Ｙ軸方向）に沿っては湾曲しておらず直線状に形成されている。図３は、Ｘ軸方向から見た場合の照射光学系１０を示す図であり、図４（ａ）及び図４（ｂ）は、Ｙ軸方向から見た場合の照射光学系１０を示す図である。
【００３１】
図３に示されるように、分光素子１２から出力される励起光Ｌ１のうちＹ軸方向成分に対しては、シリンドリカルレンズ１６はレンズとして機能しない。Ｘ軸方向から見た場合、シリンドリカルレンズ１６を透過した励起光Ｌ１は、レンズ１７によって第１対物レンズ１５の瞳に集光される。レンズ１７は、例えば、両凸レンズ、平凸レンズ等の凸レンズである。これにより、第１対物レンズ１５からは、一定の幅（Ｙ軸方向における幅）Ｗを有する帯状の励起光Ｌ１が出射される。この幅Ｗは、試料Ｓに照射されるシート状の励起光Ｌ１の幅Ｗである。シート状の励起光Ｌ１の幅Ｗは、レンズ１７の焦点距離によって調整することができる。或いは、シート状の励起光Ｌ１の幅Ｗは、波長掃引光源１１と分光素子１２との光路上にアパーチャを挿入し、ビーム径を変化させることによって調整されてもよいし、レンズ１７の焦点距離を変更することによって調整されてもよい。
【００３２】
図４（ａ）及び図４（ｂ）に示されるように、分光素子１２から出力される励起光Ｌ１のうちＸ軸方向成分に対しては、シリンドリカルレンズ１６はレンズとして機能する。Ｙ軸方向から見た場合、シリンドリカルレンズ１６及びレンズ１７は瞳伝送光学系を構成しており、シリンドリカルレンズ１６に入射した励起光Ｌ１は、レンズ１７を介して第１対物レンズ１５の瞳に伝送される。これにより、第１対物レンズ１５からは、光軸Ｃと平行な線状の励起光Ｌ１が出射される。よって、３次元的に見た場合、第１対物レンズ１５から出射される励起光Ｌ１は、シート状を呈する。
【００３３】
図４（ｂ）に示されるように、上述した出射角θは、Ｙ軸方向から見た場合における分光素子１２からの励起光Ｌ１の出射角である。すなわち、分光素子１２は、Ｙ軸方向から見た場合に、励起光Ｌ１の波長に応じた出射角θで励起光Ｌ１を出射する。
【００３４】
第１対物レンズ１５から出射されるシート状の励起光Ｌ１の高さ（Ｘ軸方向における光軸Ｃからの距離）Ｈは、シリンドリカルレンズ１６に入射する励起光Ｌ１の入射角に対応する。これは、リレー光学系１４によって第１対物レンズ１５の瞳面が格子面１２ａと共役関係となるためである。すなわち、高さＨは、分光素子１２から出射される励起光Ｌ１の出射角θに対応する。換言すれば、照射光学系１０では、出射角θが、第１対物レンズ１５から出射されるシート状の励起光Ｌ１の高さＨに変換される。したがって、波長掃引光源１１から出力される励起光Ｌ１の波長を高速に変化させ、分光素子１２から出射される励起光Ｌ１の出射角θを高速に変化させることで、第１対物レンズ１５から出射されるシート状の励起光Ｌ１の高さＨを高速に変化させることができる。
【００３５】
図５（ａ）〜図５（ｃ）を参照しつつ、第１対物レンズ１５から出射される励起光Ｌ１のビームウェスト（Ｙ軸方向から見た場合にシート状励起光の厚さが最小となる部分）Ｂの位置の調整について説明する。ビームウェストＢにおける励起光Ｌ１がシート状の励起光Ｌ１として試料Ｓに照射される。すなわち、ビームウェストＢの位置は、試料Ｓに対する励起光Ｌ１の照射方向におけるシート状の励起光Ｌ１の形成位置に相当する。
【００３６】
ビームウェストＢの位置を調整するための手段として、ライトシート顕微鏡１は、分光素子１２とシリンドリカルレンズ１６との間の位置関係（光学距離）を維持しつつ、波長掃引光源１１、分光素子１２及びシリンドリカルレンズ１６を光軸Ｃに沿って移動させる移動機構３を更に備えている。移動機構３は、例えば可動ステージ等である。移動機構３は、制御部４０と電気的に接続されており、制御部４０によってその駆動が制御される。
【００３７】
図５（ａ）及び図５（ｂ）に示されるように、移動機構３によって波長掃引光源１１、分光素子１２及びシリンドリカルレンズ１６をレンズ１７から遠ざかるように移動させることにより、ビームウェストＢを第１対物レンズ１５側に移動させることができる。図５（ａ）及び図５（ｃ）に示されるように、移動機構３によって波長掃引光源１１、分光素子１２及びシリンドリカルレンズ１６をレンズ１７に近づくように移動させることにより、ビームウェストＢを第１対物レンズ１５とは反対側に移動させることができる。なお、波長掃引光源１１は、ファイバ、コリメータレンズ等の光学部材を介して分光素子１２と光学的に接続されていてもよく、その場合、それらの光学部材も移動機構３によって波長掃引光源１１、分光素子１２及びシリンドリカルレンズ１６と一体的に移動させられる。
【００３８】
図６（ａ）及び図６（ｂ）に示されるように、試料Ｓは容器５内に配置されている。容器５は、例えばガラス又はプラスチック等によって構成されており、底壁部５１及び側壁部５２を有している。底壁部５１は、例えばカバーガラス又はガラスボトムディッシュ等である。側壁部５２は、例えば、底壁部５１の縁部から底壁部５１と直交する方向に沿って延在し、円筒状又は角筒状を呈している。容器５は、例えば、底壁部５１が側壁部５２に対して鉛直下側に位置するように配置されている。試料Ｓは、例えば、底壁部５１と側壁部５２とによって画定される収容空間内に培養液と共に配置されている。試料Ｓは、底壁部５１上に載置されている。なお、試料が乾燥物の場合、容器５は用いられなくてもよい。
【００３９】
図６（ａ）に示されるように、第１対物レンズ１５は、例えば水浸対物レンズであり、培養液内に浸かるように配置されている。容器５の底壁部５１には、第１対物レンズ１５から出射された励起光Ｌ１を試料Ｓに向けて所定角度で（例えば垂直に）反射するミラー（反射部）５３が設けられている。ミラー５３は、第１対物レンズ１５の光軸及び底壁部５１のそれぞれに対して４５度傾斜して延在する反射面５４ａを有している。試料Ｓに対するシート状の励起光Ｌ１の走査方向は、矢印Ａで示される方向（第１対物レンズ１５の光軸（光軸Ｃ）に沿った方向）である。なお、ミラー（反射部）５３は、容器５に設けられなくてもよい。例えば、ミラー５３は、第１対物レンズ１５にアタッチメントを介して取り付けられてもよい。
【００４０】
図６（ｂ）に示されるように、第１対物レンズ１５は、乾燥対物レンズであってもよく、培養液の外部に配置されてもよい。乾燥対物レンズのワーキングディスタンスは、水浸対物レンズのワーキングディスタンスよりも長い。この場合、容器５の底壁部５１には、第１対物レンズ１５から出射された励起光Ｌ１を試料Ｓに向けて所定角度で（例えば垂直に）反射するプリズム（反射部）５４が設けられる。プリズム５４は、第１対物レンズ１５の光軸及び底壁部５１のそれぞれに対して４５度傾斜して延在する反射面５４ａを有している。試料Ｓに対するシート状の励起光Ｌ１の走査方向は、矢印Ａで示される方向である。なお、プリズム（反射部）５４は、容器５に設けられなくてもよい。例えば、プリズム５４は、第１対物レンズ１５にアタッチメントを介して取り付けられてもよい。
【００４１】
反射部がミラー５３である場合、ワーキングディスタンスが短い水浸対物レンズを用いることができる。この場合、第１対物レンズ１５と試料Ｓとの間に同一の媒質が存在し、異種の媒質の界面を通過する際に発生する収差を補正する必要がないため、第１対物レンズ１５の開口数（ＮＡ）を高めることができる。一方、反射部がプリズム５４である場合、ワーキングディスタンスの長い乾燥対物レンズを用いることができる。この場合、レンズ洗浄の手間を省くことができると共に、試料Ｓを頻繁に交換するような測定、第１対物レンズ１５を侵襲する液体を用いた測定、及び長期間の測定等を容易に行うことができる。
【００４２】
検出光学系２０は、第２対物レンズ２１と、液体レンズ（焦点位置調節器）２２と、を有している。第２対物レンズ２１は、励起光Ｌ１の照射に伴って試料Ｓから発せられる検出光Ｌ２を光検出器３０側へ導光する。第２対物レンズ２１は、底壁部５１を介して試料Ｓと対向するように配置されている。図１、図６（ａ）及び図６（ｂ）に示されるように、第２対物レンズ２１の光軸は、第１対物レンズ１５の光軸と平行であり、試料Ｓに照射されるシート状の励起光Ｌ１が形成される平面と直交している。本実施形態では、第１対物レンズ１５から出射され、鉛直方向下向きに進行する励起光Ｌ１が、ミラー５３又はプリズム５４によって反射されて水平方向に進行し、試料Ｓに照射される。励起光Ｌ１の照射に伴って試料Ｓから発せられ、鉛直方向下向きに進行する検出光Ｌ２が、第２対物レンズ２１に入射する。
【００４３】
液体レンズ２２は、入力信号に応じて焦点距離が可変なレンズである。検出光学系２０では、液体レンズ２２の焦点距離を変化させることで、第２対物レンズ２１の焦点位置を調節することができる。ライトシート顕微鏡１では、第２対物レンズ２１の焦点位置が試料Ｓに対する励起光Ｌ１の照射位置に一致するように、波長掃引光源１１から出力される励起光Ｌ１の波長の変化と同期して、液体レンズ２２の焦点距離が変化する。これにより、検出光Ｌ２を光検出器３０に結像させることが可能となる。したがって、試料Ｓに対する励起光Ｌ１の照射位置を高速に走査した場合でも、検出光Ｌ２を精度良く検出することができる。なお、検出光学系２０は、第２対物レンズ２１と液体レンズ２２との間に配置された凸レンズを更に有していてもよい。この場合、液体レンズ２２による第２対物レンズ２１の焦点位置の調節範囲を拡大することができる。
【００４４】
光検出器３０は、第２対物レンズ２１によって導光された検出光Ｌ２を撮像する。光検出器３０としては、例えば、ＣＭＯＳカメラ、ＣＣＤカメラ、マルチアノードの光電子増倍管、ＳＰＡＤ（Single Photon Avalanche Diode）等の２次元イメージセンサ、又はラインセンサ等が挙げられる。或いは、光検出器３０は、アバランシェフォトダイオード等のポイント光センサ、又は分光器であってもよい。
【００４５】
制御部４０は、例えば、プロセッサ及びメモリ等を含むコンピュータにより構成されている。制御部４０は、プロセッサにより、移動機構３、波長掃引光源１１、液体レンズ２２及び光検出器３０等の動作を制御し、各種の制御を実行する。例えば、制御部４０は、分光素子１２から出射される励起光Ｌ１の出射角θが時間と共に変化するように、波長掃引光源１１から出力される励起光Ｌ１の波長を時間と共に変化させる。また、制御部４０は、第２対物レンズ２１の焦点位置が試料Ｓに対する励起光Ｌ１の照射位置に一致するように、波長掃引光源１１から出力される励起光Ｌ１の波長の変化と同期して、液体レンズ２２の焦点距離を変化させる。なお、第１対物レンズ１５及び第２対物レンズ２１の少なくとも一方は、ピエゾアクチュエータ又はステッピングモータ等の駆動素子により、その光軸に沿って移動可能となっていてもよい。この場合、制御部４０は、当該駆動素子の動作をも制御する。
【００４６】
以上説明したように、ライトシート顕微鏡１では、時間と共に波長が変化する光が励起光Ｌ１として波長掃引光源１１から出力され、波長掃引光源１１から出力された励起光Ｌ１が波長に応じた出射角θで分光素子１２から出射され、分光素子１２から出射された励起光Ｌ１が当該出射角θに応じた入射角でシリンドリカルレンズ１６に入射する。これにより、シート状の励起光Ｌ１の照射位置を試料Ｓに対して走査することができる。その結果、観察の際に試料Ｓを移動又は回転させる必要がないため、試料Ｓが揺れ動くのを抑制することができ、試料Ｓを安定的に観察することができる。また、波長掃引光源１１、分光素子１２及びシリンドリカルレンズ１６を用いて試料Ｓに対する励起光Ｌ１の照射位置を走査するため、試料Ｓに対する励起光Ｌ１の走査を高速化することができる。よって、ライトシート顕微鏡１によれば、高速且つ安定的な観察を実現することができる。また、例えばガルバノミラー等を用いて試料Ｓに対するシート状の励起光Ｌ１の照射位置を機械的に走査する場合と比べて、安定性に優れると共に部品の寿命が長く、しかも、一層の高速化を図ることができる。更に、試料Ｓに対して照射される励起光Ｌ１の中心波長及び波長掃引範囲を時間と共に変化させることができる。そのため、試料Ｓに対する照射光の中心波長及び波長掃引範囲を時間と共に変化させることが求められる観察に好適に用いることできる。例えば、測定対象の化学組成等が時間と共に変化し、吸収スペクトルのピークが変化する場合に、当該変化に応じて照射光の中心波長及び波長掃引範囲を補正（校正）することができる。或いは、時間と共に観察対象自体が変わる場合に、照射光の中心波長及び波長掃引範囲を観察対象の物質の吸収スペクトルに好適な中心波長及び波長掃引範囲に変更することができる。
【００４７】
ライトシート顕微鏡１では、分光素子１２が回折格子である。これにより、高速且つ安定的な観察を実現することができるとの上記作用効果が顕著に奏される。
【００４８】
ライトシート顕微鏡１では、検出光学系２０が、波長掃引光源１１から出力される励起光Ｌ１の波長の変化と同期して、第２対物レンズ２１の焦点位置を変化させる液体レンズ２２（焦点位置調節器）を有している。これにより、試料Ｓに対する励起光Ｌ１の照射位置を高速に走査した場合でも、検出光Ｌ２を精度良く検出することができる。
【００４９】
ライトシート顕微鏡１は、分光素子１２とシリンドリカルレンズ１６との間の位置関係を維持しつつ、波長掃引光源１１、分光素子１２及びシリンドリカルレンズ１６を光軸Ｃに沿って移動させる移動機構３を備えている。これにより、第１対物レンズ１５から出射される励起光Ｌ１のビームウェストＢの位置、すなわち試料Ｓに対する励起光Ｌ１の照射方向におけるシート状の励起光Ｌ１の形成位置を調整することができる。反射部がプリズム５４である場合、励起光Ｌ１にプリズム５４を通過させることにより、光路長が変化してビームウェストＢの位置がずれるのを抑制することができる。
【００５０】
ライトシート顕微鏡１では、容器５には、第１対物レンズ１５から出射された励起光Ｌ１を試料Ｓに向けて反射するミラー５３又はプリズム５４（反射部）が設けられている。これにより、容器５の側壁部５２の影響なく、試料Ｓに対してシート状の励起光Ｌ１を照射することができる。また、励起光Ｌ１を導光するための反射部を容器５に一体化することができ、部品数の低減及び装置の小型化を図ることができる。また、反射部が容器５と別体である場合と比べて、励起光Ｌ１を試料Ｓに対して確実に精度良く照射することができる。また、第１対物レンズ１５及び第２対物レンズ２１を互いの光軸が平行となるように配置することができ、倒立顕微鏡又は正立顕微鏡等の顕微鏡への組み込みを容易化することができる。なお、ミラー５３又はプリズム５４は、容器５に設けられなくてもよい。例えば、ミラー５３又はプリズム５４は、第１対物レンズ１５にアタッチメントを介して取り付けられてもよい。ますなわち、分光素子１２による角度変調を高さ変調に変換して、シート状の励起光Ｌ１の進行方向を変えることで、汎用の顕微鏡への組み込みを容易化することができる。また、反射部による反射角度を設定することで、第１対物レンズ１５及び第２対物レンズ２１を互いに干渉しない範囲で３次元的に自在に配置することが可能となる。また、マイクロセルチャンバ又はマイクロ流路との組み合わせを容易化することができ、確実な観察を実現することができる。
【００５１】
ライトシート顕微鏡１では、第２対物レンズ２１の光軸が第１対物レンズ１５の光軸と平行である。これにより、倒立顕微鏡又は正立顕微鏡等の顕微鏡への組み込みを容易化することができる。
【００５２】
ライトシート顕微鏡１による試料観察方法は、試料Ｓを励起させる波長を含む励起光Ｌ１を試料Ｓに照射するステップと、励起光Ｌ１の照射に伴って試料Ｓから発せられる検出光Ｌ２を導光するステップと、検出光Ｌ２を検出するステップと、を備える。励起光Ｌ１を試料Ｓに照射するステップは、時間と共に波長が変化する光が励起光Ｌ１として波長掃引光源１１から出力されるステップと、波長掃引光源１１から出力された励起光Ｌ１が分光素子１２に入射し、励起光Ｌ１の波長に応じた出射角θで励起光Ｌ１が分光素子１２から出射するステップと、分光素子１２から出射された励起光Ｌ１が出射角θに応じた入射角でシリンドリカルレンズ１６に入射するステップと、シリンドリカルレンズ１６を含むリレー光学系１４によって導光された励起光Ｌ１が集光され、シート状の励起光Ｌ１が試料Ｓに照射されるステップと、を含む。この試料観察方法によれば、上述した理由により、高速且つ安定的な観察を実現することができる。
【００５３】
以上、本発明の一実施形態について説明したが、本発明は、上記実施形態に限られない。例えば、各構成の材料及び形状には、上述した材料及び形状に限らず、様々な材料及び形状を採用することができる。
【００５４】
図７（ａ）に示されるように、分光素子１２は、透過型回折格子であってもよい。このような分光素子１２は、例えばスリットを有して構成される。図７（ｂ）に示されるように、分光素子１２は、プリズムであってもよい。この場合、分光素子１２は、Ｙ軸方向周りに回転可能に構成され、照射光学系１０は、分光素子１２をＹ軸周りに回転駆動させる駆動部を有する。この駆動部は、例えばステッピングモータ又はピエゾアクチュエータ等である。駆動部は、制御部４０と電気的に接続されており、制御部４０によってその駆動が制御される。分光素子１２は、光軸Ｃ上において分光素子１２から励起光Ｌ１が出射されるように、駆動部により、波長掃引光源１１から出力される励起光Ｌ１の波長に応じて、Ｙ軸周りに回転させられる。図７（ｃ）に示されるように、分光素子１２は、回折格子とプリズムが組み合わされたグリズムであってもよい。これらの変形例によっても、上記実施形態の場合と同様に、高速且つ安定的な観察を実現することができる。また、分光素子１２がグリズムである場合、中心波長の光の進行方向が入射前後で変化しないため、光学系の設計を容易化することができる。
【００５５】
上記実施形態において、波長掃引光源１１は、複数の中心波長の間で励起光Ｌ１の中心波長を切り替え可能に構成されてもよい。この場合、分光素子１２は、Ｙ軸方向周りに回転可能に構成され、照射光学系１０は、分光素子１２をＹ軸周りに回転駆動させる駆動部を有する。この駆動部は、例えばステッピングモータ又はピエゾアクチュエータ等である。駆動部は、制御部４０と電気的に接続されており、制御部４０によってその駆動が制御される。分光素子１２は、中心波長の励起光Ｌ１が光軸Ｃ上を進行するように、駆動部により、波長掃引光源１１から出力される励起光Ｌ１の中心波長に応じて、Ｙ軸方向周りに回転させられる。この変形例によっても、上記実施形態の場合と同様に、高速且つ安定的な観察を実現することができる。また、複数の中心波長の励起光Ｌ１を試料Ｓに照射することができる。
【００５６】
図８に示されるように、照射光学系１０は、互いに中心波長が異なる光を励起光Ｌ１として出力する複数の波長掃引光源１１Ａ，１１Ｂを有していてもよい。この場合、各波長掃引光源１１Ａ，１１Ｂから出力される励起光Ｌ１は、その中心波長に応じた入射角で分光素子１２に入射する。すなわち、波長掃引光源１１Ａ，１１Ｂは、当該入射条件が満たされるように配置されている。具体的には、波長掃引光源１１Ａから出力される励起光Ｌ１Ａは、中心波長の励起光Ｌ１Ａが光軸Ｃ上を進行するように、励起光Ｌ１Ａの中心波長に応じた入射角φ１で分光素子１２に入射する。波長掃引光源１１Ｂから出力される励起光Ｌ１Ｂは、中心波長の励起光Ｌ１Ｂが光軸Ｃ上を進行するように、励起光Ｌ１Ｂの中心波長に応じた入射角φ２で分光素子１２に入射する。入射角φ１，φ２は互いに異なる。この変形例によっても、上記実施形態の場合と同様に、高速且つ安定的な観察を実現することができる。また、複数の中心波長の励起光Ｌ１を試料Ｓに照射することができる。なお、この変形例では、複数の波長掃引光源１１の少なくとも１つと分光素子１２との間に、反射角度が可変であるミラー等が配置されてもよい。複数の波長掃引光源１１の少なくとも１つから分光素子１２へは、光ファイバを介して励起光Ｌ１が出力されてもよい。
【００５７】
上記実施形態において、液体レンズ２２が省略されてもよい。この場合、第２対物レンズ２１がピエゾアクチュエータ等によって機械的に移動させられてもよいし、第２対物レンズ２１と光検出器３０との間に配置されたズームレンズが機械的に移動させられてもよい。ただし、上記実施形態では、液体レンズ２２を用いた電気的な制御によって第２対物レンズ２１の焦点位置を高速に変化させるため、第２対物レンズ２１の焦点位置を、分光素子１２から出射される励起光Ｌ１の出射角θの変化に確実に同期させることができる。或いは、液体レンズ２２が省略される場合、第２対物レンズ２１として焦点深度が深い対物レンズを用い、第２対物レンズ２１の焦点深度内において試料Ｓに対してシート状の励起光Ｌ１を走査してもよい。この場合、第２対物レンズ２１の焦点位置の調節を省略することができる。
【００５８】
シリンドリカルレンズ１６は、シリンドリカルレンズに対応した位相パターンに従って励起光Ｌ１を変調する空間光変調器（ＳＬＭ：Spatial Light Modulator）によって構成されてもよい。焦点位置調節器は、第２対物レンズ２１の焦点位置を調節可能であればよく、液体レンズ２２以外によって構成されてもよい。移動機構３は省略されてもよい。ミラー５３又はプリズム５４は、容器５とは別体に構成されてもよい。第１対物レンズ１５の光軸と第２対物レンズ２１の光軸とは、互いに交差（例えば直交）していてもよい。検出光学系２０は、例えば第２対物レンズ２１と液体レンズ２２との間に、第２対物レンズ２１により導光された光から励起光Ｌ１と検出光Ｌ２とを分離し、抽出された検出光Ｌ２を光検出器３０側へ出力する光学フィルタを更に有していてもよい。分光素子１２は、空間光変調器によって構成されてもよい。例えば、分光素子１２は、回折格子パターンに従って励起光Ｌ１を変調する空間光変調器によって構成されてもよい。この場合、回折格子パターンを変更することで格子定数を変化させることができる。シリンドリカルレンズ１６及び分光素子１２が１つの空間光変調器によって構成されてもよい。
【符号の説明】
【００５９】
１…ライトシート顕微鏡、３…移動機構、５…容器、１０…照射光学系、１１…波長掃引光源、１２…分光素子、１４…リレー光学系、１５…第１対物レンズ、１６…シリンドリカルレンズ、２０…検出光学系、２１…第２対物レンズ、２２…液体レンズ（焦点位置調節器）、３０…光検出器、５３…ミラー（反射部）、５４…プリズム（反射部）、Ｂ…ビームウェスト、Ｃ…光軸、Ｌ１…励起光、Ｌ２…検出光、Ｓ…試料、θ…出射角。
【図１】
2019148732.tif 000003
【図２】
2019148732.tif 000004
【図３】
2019148732.tif 000005
【図４】
2019148732.tif 000006
【図５】
2019148732.tif 000007
【図６】
2019148732.tif 000008
【図７】
2019148732.tif 000009
【図８】
2019148732.tif 000010